(57)【要約】【課題】帳票の入力欄の外にはみ出た入力情報に関しても鮮明なイメージをオペレータに表示することにより、作業を効率化する。【解決手段】制御部３０が受信した帳票画像とその帳票画像の帳票名とに基づき、帳票画像の入力欄の位置情報を抽出し、抽出された入力欄の位置情報を参照して、分割した帳票画像の各画像領域の評価値を決定し、決定した評価値に基づき各画像領域の解像度を決定し、画像処理部により決定された解像度の各画像領域によって構成された帳票画像を表示することにより、情報量が少なく、かつ入力欄からはみ出た情報に関しても鮮明なイメージを提供する。【選択図】図１
2011233035.tif 000002
【特許請求の範囲】
【請求項１】
読み取られた帳票画像および前記帳票画像の入力欄の位置情報を格納する記憶部と、
前記読み取られた前記帳票画像および前記入力欄の位置情報を受信する手段と、前記帳票画像を複数の画像領域に分割する手段と、分割した画像領域毎に前記入力欄の位置情報との位置関係を評価する手段と、前記評価に基づき前記入力欄の領域と重なる画像領域では最も高解像度と設定し、前記入力欄の位置情報から離れている画像領域に対しては前記入力欄の位置情報から離れるに従い低い解像度を設定する手段とを有する画像処理部と
を備える画像編集装置。
【請求項２】
前記分割した各画像領域は、等幅の矩形であり、
前記入力欄の位置情報は前記矩形の対角座標値である
ことを特徴とする請求項１に記載の画像編集装置。
【請求項３】
記入欄を有する帳票画像を読み取る画像読取装置と、
前記読取装置で読み取られた帳票画像および前記帳票画像の入力欄の位置情報を記憶する記憶手段を備え、前記票画像上の各記入欄に記入された情報に対するデータエントリ処理を行うための帳票画像情報を作成するサーバと、
前記帳票画像情報を表示しデータエントリ処理を行う情報端末装置とからなるデータエントリシステムであって、
前記サーバは、
前記帳票画像を複数の画像領域に分割する手段と、
前記分割した画像領域毎に前記入力欄の位置情報との位置関係を評価する手段と、
前記評価に基づき前記入力欄の領域と重なる画像領域では最も高解像度と設定し、前記入力欄の位置情報から離れている画像領域に対してしては前記入力欄の位置情報から離れるに従い低い解像度に設定する手段とを有する画像処理部を備え、
前記画像処理部で設定された解像度に基づき、前記情報端末装置に表示するための前記帳票画像を作成することを特徴とするデータエントリシステム。
【請求項４】
読み取られた帳票画像と、前記帳票画像の入力欄の位置情報を受信するステップと、
前記帳票画像を複数の画像領域に分割するステップと、
分割した画像領域毎に前記入力欄の位置情報との位置関係を評価するステップと、
その評価に基づき前記入力欄の領域と重なる画像領域では最も高解像度と設定し、前記入力欄の位置情報から離れている画像領域に対しては前記入力欄の位置情報から離れるに従い低い解像度を設定するステップと、
をコンピュータに実現させることを特徴とするデータエントリプログラム。
【発明の詳細な説明】
【技術分野】
【０００１】
本発明は、画像編集装置、データエントリシステムおよびそのプログラムに関する。
【背景技術】
【０００２】
ＯＣＲやスキャナで郵便物、特に小包のあて先を認識する際において、文字認識ができなかった場合に、読み取った帳票イメージをオペレータ端末に表示し、オペレータがその帳票イメージに記載されている内容や項目を確認および入力してデータベース等に保管するデータエントリシステムがある。このようなデータエントリシステムにおいて、例えば特許文献１に開示されるように、帳票イメージをオペレータ端末に表示する際に、郵便物全体の画像（背景画像）を低い解像度を適用して表示し、帳票の入力欄（あて先）に相当するデータ部分（認識対象データ）に高い解像度を適用して背景画像に重ねて表示することにより、データ量を軽減しながらオペレータの作業を容易にする方法がある。
【先行技術文献】
【特許文献】
【０００３】
【特許文献１】特開２００４−５０４１３９号公報
【発明の概要】
【発明が解決しようとする課題】
【０００４】
しかしながら、上述した方法では、手書きによってあて先を記載する際や印刷ズレなどによって発生する、読取対象の入力欄（フィールド）からはみ出した文字の記入部分は、高解像度のフィールドイメージでは表示されない。図１１、は特許文献１の技術において入力される帳票画像１０１の一例である。また、図１２は、帳票画像１０１が入力された場合にオペレータ端末に表示される帳票画像１０５の一例である。図１１及び図１２の符号１０２〜１０４、１０６〜１０８は、読み取った帳票の入力欄の内容を表す。
【０００５】
特許文献１の技術を用いた場合、入力された帳票画像は図１２の帳票画像１０５のように入力欄１０６，１０７，１０８からはみ出た部分は低解像度で表示されることになる。このため、オペレータは、帳票の文字記入欄に実際に筆記された文字がどのような文字であるかを判定できない場合がある。その場合、オペレータ自身が読取元の帳票自体から該当不明部分を見つけ出し、文字を判断することを行うため、処理の作業効率が低下していた。また、読取元の帳票が、例えば業務用途の場合、バッチ処理のため多数枚が１つのファイルにまとめてファイリングされていることが多く、その中から該当する一枚の帳票を見つけ出すのが容易ではなく、作業効率が低下していた。
【０００６】
本発明は、上記の問題点を解決するためになされたもので、帳票の入力欄の外にはみ出た入力情報に関しても鮮明なイメージをオペレータに表示できる画像編集装置、データエントリシステムおよびそのプログラムの提供を目的とする。
【課題を解決するための手段】
【０００７】
よって、上記目的を達成するために、
本発明の一態様に係る画像編集装置は、読み取られた帳票画像および前記帳票画像の入力欄の位置情報を格納する記憶部と、前記読み取られた前記帳票画像および前記入力欄の位置情報を受信する手段と、前記帳票画像を複数の画像領域に分割する手段と、分割した画像領域毎に前記入力欄の位置情報との位置関係を評価する手段と、前記評価に基づき前記入力欄の領域と重なる画像領域では最も高解像度と設定し、前記入力欄の位置情報から離れている画像領域に対しては前記入力欄の位置情報から離れるに従い低い解像度を設定する手段とを有する画像処理部とを備えることを特徴とし、
本発明の一態様に係るデータエントリシステムは、記入欄を有する帳票画像を読み取る画像読取装置と、前記読取装置で読み取られた帳票画像および前記帳票画像の入力欄の位置情報を記憶する記憶手段を備え、前記票画像上の各記入欄に記入された情報に対するデータエントリ処理を行うための帳票画像情報を作成するサーバと、前記帳票画像情報を表示しデータエントリ処理を行う情報端末装置とからなるデータエントリシステムであって、前記サーバは、前記帳票画像を複数の画像領域に分割する手段と、前記分割した画像領域毎に前記入力欄の位置情報との位置関係を評価する手段と、前記評価に基づき前記入力欄の領域と重なる画像領域では最も高解像度と設定し、前記入力欄の位置情報から離れている画像領域に対してしては前記入力欄の位置情報から離れるに従い低い解像度に設定する手段とを有する画像処理部を備え、前記画像処理部で設定された解像度に基づき、前記情報端末装置に表示するための前記帳票画像を作成することを特徴とし、
本発明の一態様に係るデータエントリプログラムは、読み取られた帳票画像と、前記帳票画像の入力欄の位置情報を受信するステップと、前記帳票画像を複数の画像領域に分割するステップと、分割した画像領域毎に前記入力欄の位置情報との位置関係を評価するステップと、その評価に基づき前記入力欄の領域と重なる画像領域では最も高解像度と設定し、前記入力欄の位置情報から離れている画像領域に対しては前記入力欄の位置情報から離れるに従い低い解像度を設定するステップと、をコンピュータに実現させることを特徴とする。
【発明の効果】
【０００８】
本発明によれば、帳票の入力欄の外にはみ出た入力情報に関しても鮮明なイメージをオペレータに提供することができる。
【図面の簡単な説明】
【０００９】
【図１】本実施形態に係るデータエントリシステムの全体構成の一例を示すブロック図である。
【図２】本実施形態に係る画像データ作成処理を行う対象の帳票画像の一例である。
【図３】本実施形態に係る画像処理部による画像データ作成処理の一例を示すフローチャートである。
【図４】本実施形態に係る帳票情報テーブルの一例を示す図である。
【図５】本実施形態に係る入力欄位置情報テーブルの一例を示す図である。
【図６】本実施形態に係る帳票画像と入力欄の位置情報との関係を示す図である。
【図７】本実施形態に係る評価値定義部による評価値定義処理の一例を示すフローチャートである。
【図８】本実施形態に係る帳票画像において評価値が「１０」と定義された格子画像領域を示す図である。
【図９】本実施形態に係る評価値定義部によって評価値定義処理が行われた帳票画像の一例を示す図である。
【図１０】本実施形態に係る情報端末装置が受信する帳票画像の一例を示す図である。
【図１１】先行技術による、入力される帳票画像の一例を示す図である。
【図１２】先行技術による、オペレータ端末に表示される帳票画像の一例を示す図である。
【発明を実施するための形態】
【００１０】
以下に、本発明の第１の実施形態を図１乃至図１０を参照しながら説明する。
【００１１】
（第１の実施形態）
図１は、本実施形態に係るデータエントリシステム１００の全体構成の一例を示すブロック図である。まず、図１を参照して、本実施形態に係るデータエントリシステム１００の全体構成について説明する。
【００１２】
データエントリシステム１００は、画像イメージを読み取る帳票読取装置１１と、記憶部２０、制御部３０、画像処理部４０を有するエントリサーバ１０と、それに接続される複数の情報端末装置５０などから構成される。
【００１３】
帳票読取装置１１は、スキャナなどの装置によって帳票を読取って帳票画像を作成する。読み取られた帳票画像データは、制御部３０によって記憶部２０内の帳票イメージＤＢ２１もしくは画像処理部４０に送信される。
【００１４】
記憶部２０は、帳票読取装置１１が読み取った帳票画像データを記憶する帳票イメージデータベース２１（ＤＢ）と、帳票入力欄ＤＢ２２とを有している。帳票イメージＤＢ２１には、帳票画像データとその帳票画像の種類である「帳票名」とが関連付けて登録される。帳票入力欄ＤＢ２２には、帳票名ごとに入力欄の定義情報が登録されている。入力欄の定義情報には、例えば図５に示すような入力欄の左上座標と右下座標とからなる入力欄の位置情報が含まれている。記憶部２０としては、例えば磁気ディスク装置、半導体メモリ、光ディスクメモリなどが用いられる。
【００１５】
制御部３０は、帳票読取装置１１と、記憶部２０と、画像処理部４０と、複数の情報端末装置５０を制御するものである。制御部３０は、画像処理部４０によって「画像データ作成処理」が行われた帳票画像データを接続先の情報端末装置５０に送信する。
【００１６】
画像処理部４０は、入力欄データ抽出部４１と、評価値定義部４２と、イメージ編集部４３などを有する。画像処理部４０は、帳票読取装置１１により読み取られた帳票画像データを制御部３０から受信すると、後述する「画像データ作成処理」を行う。画像処理部４０としては、例えばスキャナや、通常のＯＣＲや、スキャナと文字認識ソフトウェアをインストールしたＰＣで構成されるＯＣＲなどが用いられる。
【００１７】
情報端末装置５０は、入力部５１と、表示部５２などを有する。ここでは、３台の情報端末装置５０を例示するが、１つ又はより多数の情報端末装置が接続されてもよい。また、情報端末装置５０と制御部３０は、ネットワークを介して接続してもよい。
【００１８】
次に、本実施形態に係るデータエントリシステム１００のデータエントリ処理について説明する。
【００１９】
（１）データエントリシステム１００では、読み取り対象とする帳票を帳票読取装置１１にかけてスキャンさせる。
【００２０】
（２）制御部３０は、帳票読取装置１１でスキャンした帳票の種類を判別し、その判別結果を帳票画像データとともに記憶部２０に格納する。
【００２１】
（３）エントリを行うオペレータは、情報端末装置５０でエントリ用のアプリケーションを起動する。
【００２２】
（４）情報端末装置５０のアプリケーションは、起動するとデータエントリシステム１００と通信し、エントリ可能な帳票の情報を要求する。
【００２３】
（５）データエントリシステム１００の制御部３０は、情報端末装置５０から上記要求をうけると、記憶部２０に蓄えられた情報から帳票画像データを取り出し、画像処理部４０で「画像データ作成処理」を実行させる。続いて制御部３０は、その画像データ作成処理によって得られた複数の解像度からなる帳票画像データなどの情報を要求元の情報端末装置５０に送信する。本実施形態では、画像データ作成処理によって送信するデータ量を抑える仕組みとなっている。
【００２４】
なお、画像処理部４０は、記憶部２０に格納された帳票画像データではなく、帳票読取装置１１によって読み取られた帳票画像データを受信して「画像データ作成処理」を行ってもよい。また、「画像データ作成処理」を行った帳票画像データを記憶部２０に一時記憶し、情報端末装置５０から上記要求を受け取ると記憶部２０から読み出して送信するとしてもよい。
【００２５】
（６）情報端末装置５０のアプリケーションは、制御部３０から送信された、「画像データ作成処理」が行われた帳票画像データをもとに帳票画像を表示し、併せてエントリ画面を表示する。このとき表示される帳票画像は、入力欄からはみ出て記載された情報が「画像データ作成処理」で決定した解像度で表示されており、オペレータは容易に記載内容を識別することができる。
【００２６】
（７）送信された帳票画像に基づきデータエントリされたデータは、情報端末装置５０からデータエントリシステム１００に送信され、記憶部２０に保存される。
【００２７】
続いて、上述したデータエントリ処理の工程（５）を行う際のデータエントリシステム１００の動作について図２乃至図９を参照して説明する。
【００２８】
図２は、画像データ作成処理が行われる対象の帳票画像の一例であり、図３は画像処理部４０による画像データ作成処理を示すフローチャートである。ここでは、図２に示す帳票画像３００は、「郵便番号」３０１と、「住所」３０２と、「電話番号」３０３とが記載されているとする。
【００２９】
まず、画像処理部４０が読み取られた帳票画像データを含む帳票情報を受信する（ステップＳ２１）。帳票情報は、図４に示すテーブルの２００ように、帳票画像データ２０１と、その帳票画像データ２０１の種類を示す帳票名２０２などを有している。本実施形態では、図４に示す画像１が図２に示す帳票画像データ３００であるとする。すなわち、図２の帳票画像３００の帳票名２０２（帳票の種類）は「帳票Ａ」である。
【００３０】
次に、画像処理部４０の入力欄データ抽出部４１は、帳票入力欄ＤＢ２２から帳票画像データ３００における入力欄毎の位置情報を抽出する（ステップＳ２２）入力欄データ抽出部４１は、抽出した入力欄毎の位置情報を評価値定義部４２に出力する。
【００３１】
図５は、帳票画像データ３００に対応して帳票入力欄ＤＢ２２に登録されている「帳票Ａ」の入力欄の位置情報テーブル５００である。入力欄毎の位置情報は、図５に示すように、帳票名５０１ごとに定義されており、例えば「入力欄番号」５０２の欄１は、帳票画像３００の第１の画像（郵便番号）３０１に対応するものであり、その入力欄の左上部分の座標を表す「左上座標」５０３と、右下部分の座標を現す「右下座標」５０４とからなる。すなわち、処理対象の帳票画像３００の帳票名２０１と同じ帳票名５０１の位置情報が抽出される。図２に示した帳票画像３００の第２の画像（住所）３０２、第３の画像（電話番号）３０３も同様に、図５の欄２、欄３に示すように位置情報が抽出される。
【００３２】
本実施形態においては、入力欄はあらかじめ「対象の帳票画像のＸ軸に平行な辺と、Ｙ軸に平行な辺とを持つ矩形である」と定義されている。すなわち、入力欄は「左上座標５０３を通り、Ｘ／Ｙ軸に平行な辺」と「右下座標５０４を通り、Ｘ／Ｙ軸に平行な辺」とに囲まれた位置にある。
【００３３】
なお、図示しないが、入力欄の定義は、図５に示した位置情報テーブル５００において帳票名２０２毎に行うことも可能であるし、入力欄番号５０２毎に行うことも可能である。また、画像処理部４０が帳票画像データを受信する毎に定義してもよい。
【００３４】
なお、入力欄の位置情報は「左上座標」と「右下座標」に限らない。例えば、入力欄の位置情報を「中心座標：（Ｘ，Ｙ）」と「半径：Ｒ」とし、入力欄を「中心が「（Ｘ，Ｙ）」で、半径が「Ｒ」の円形である」と定義しても良い。
【００３５】
ステップＳ２２の処理によって抽出された帳票画像３００に対する入力欄の位置情報を図６に示す。図５に示す欄１が図６における破線の矩形で示した入力欄４０１であり、欄２が図６における破線の矩形で示した入力欄４０２であり、欄３が図６における破線の矩形で示した入力欄４０３である。
【００３６】
続いて、画像処理部４０の評価値定義部４２は、帳票画像３００を等幅の格子状の画像領域に分割し、分割した各格子の「評価値」を定義するための「評価値定義処理」を行う（ステップＳ２３）。評価値定義部４２は、定義した評価値をイメージ編集部４３に出力する。この評価値とは、上述した帳票の入力欄と分割された格子との近さを表すものである。すなわち、評価値が高いことは、入力欄の位置と分割された格子とが近いことを意味する。したがって、入力欄の画像領域と分割された格子の画像領域とが重なる場合、その格子の評価値は最大値を示す。なお、分割は設定した画素数毎としてもよいし、mm（ミリメートル）などの長さの単位で行ってもよい。
【００３７】
評価値定義部４２は、帳票画像３００中の全ての格子に対して評価値を定義してもよい。また、評価値定義部４２が定義した格子の評価値が最小値である場合に、全ての評価値未定義の格子の評価値を最小値とするようにしてもよい。最大値および最小値は、ユーザーが任意に設定するようにしてもよい。また、評価値は数字を用いてもよいし、アルファベットを用いてもよい。
【００３８】
イメージ編集部４３は、評価値定義部４２が定義した各格子の評価値に基づいて各格子の解像度を決定し、新解像度の帳票画像データを作成する（ステップＳ２４）。作成した新解像度の帳票画像データは、制御部３０によって情報端末装置５０に送信される（ステップＳ２５）。
【００３９】
ステップＳ２３の評価値定義処理について、図７乃至図１０を参照して詳しく説明する。図７は、評価値定義部４２による評価値定義処理を示すフローチャートである。ここでは、評価値定義処理４２における評価値の最大値を「１０」、最小値を「７」とする。
【００４０】
評価値定義部４２は、まず、帳票画像３００を図８に示すように等幅の格子状に分割する（ステップＳ３０）。次に、評価値定義部４２は、帳票入力欄ＤＢ２２から抽出された入力欄毎の位置情報に基づいて、ステップＳ３０で分割した各格子の矩形が図６の入力欄４０１と重なりを持つか否か判定し、重なりを持つ格子を抽出する。評価値定義部４２は、図９に示すように抽出された重なりを持つ全ての格子の評価値を「１０」（最大値）とする（ステップＳ３１）。すなわち、入力欄４０１，４０２，４０３と画像領域が重なる格子をもっとも近い、すなわち評価値が最大値「１０」であると定義する。この入力欄４０１，４０２，４０３と画像領域が重なる格子を基準格子とする。なお、ここでは最大値を「１０」と評価したが、「Ａ」や「１００」など、任意で設定してよい。また、画像領域の分割は等幅でなく、ユーザーが指定した幅で分割してもよい。図９では、帳票画像３００に対し評価値が「１０」と定義された格子画像領域５３３を示す。
【００４１】
続いて、評価値定義部４２は、評価値を定義された格子の上下左右に隣接した格子のうち、評価値が未定義の格子の評価値を「（評価値）−１」と定義する（ステップＳ３２）。評価値定義部４２は、全ての格子に対して評価値Nが定義された場合（ステップＳ３３のＮｏ）、評価値定義処理を終了する。
【００４２】
評価値定義部４２は、評価値Nが未定義の格子が存在する場合であって（ステップＳ３３のＹｅｓ）、ステップＳ３２で定義した評価値が「７」（最小値）より大である場合は（ステップＳ３４のＹｅｓ）、ステップＳ２５に戻りステップＳ２５〜ステップＳ２７の処理を繰り返す。
【００４３】
評価値定義部４２は、評価値Nが未定義の格子が存在する場合であって（ステップＳ３３のＹｅｓ）、ステップＳ３２で定義した評価値が「７」（最小値）以下である場合（ステップＳ３４のＮｏ）、評価値未定義の全ての格子の評価値を「７」と定義し、（ステップＳ３５）、評価値定義処理を終了する。
【００４４】
図９に評価値定義部４２によって評価値定義処理が行われた帳票画像３００を示す。図９では、網掛けのない格子は評価値が「１０」と定義された基準格子である。評価値「１０」の基準格子の上下左右の領域（斜めの網掛けブロック）に対し、評価値「９」が定義されたことを示している。更に、評価値「９」の格子の上下左右の領域（格子の網掛けブロック）に対し、評価値「８」が定義されたことを示している。更に、評価値「８」の格子の上下左右の領域（多数点の網掛けブロック）に対し、評価値「７」が定義されたことを示している。  
評価値定義部４２は、入力欄データの情報を用いて、対象の帳票画像３００において重要な画像領域はどこかを定める。
【００４５】
イメージ編集部４３は、評価値定義部４２が提示した評価値を参照して、評価値「１０」、を最高解像度に設定して制御部３０に出力する。また、評価値「９」を評価値「１０」より低い解像度に設定に出力する。評価値「８」を評価値「９」より低い解像度に設定して制御部３０に出力する。また、評価値「７」を評価値「８」より低い解像度に設定して制御部３０に出力する。
【００４６】
ここで、入力欄からはみ出した入力情報は、評価値「１０」に隣接する領域であることが一般的であるので、この評価値「９」に対しては低い解像度ではなく高解像度に設定することにより、はみ出した入力情報の読み取りが著しく向上することができる。
【００４７】
つまり、本実施形態では、分割した画像領域毎に入力欄の位置情報との位置関係を評価し、その評価に基づき入力欄の領域と重なる画像領域では最も高解像度と設定し、入力欄の位置情報から離れている画像領域に対しては、入力欄の位置情報から離れるに従い低い解像度を設定することになる。
【００４８】
なお、ここでは、評価値「１０」〜「７」を段階的に低い解像度に設定するとしたが、評価値「１０」を最も高解像度とし、評価値「９」と「８」を次に低い解像度とし、評価値「７」を次に低い解像度としてもよい。或いは、評価値「１０」、「９」を最も高解像度とし、評価値「８」と「７」を次に低い解像度としてもよい。
【００４９】
そして制御部３０は、作成した新解像度の帳票画像データをオペレータ端末である情報端末装置５０に送信する。情報端末装置５０が受信する帳票画像６００を図１０に示す。情報端末装置５０では、図１０の帳票画像６００を用いてデータエントリーを実行する。
【００５０】
以上のように、本実施形態によれば、元の帳票画像と比較して情報量が少なく、かつ入力欄からはみ出た情報も鮮明な帳票画像で情報端末装置に送信することにより、作業効率を向上することができる。また、解像度の高い画像データ（任意設定可）を保存し、解像度の低い画像データは削除するなどすることにより、画像データの記憶容量を削減することができる。
【００５１】
なお、評価値定義部４２の評価値定義処理は、確率分布モデルを用いて行ってもよい。例えば、入力欄の外枠の位置を０とし、外向きにｘミリ離れたところにはみ出た文字が存在する確率を計算して、計算結果を参照して評価値を定義する。
【００５２】
また、本発明は上記した実施形態に限定されず、発明の要旨を逸脱しない範囲において、設計変更して構わない。
【００５３】
例えば、帳票画像を当幅の格子状の画像領域に分割するのではなく、各格子のサイズを指定してもよい。また、評価値定義処理は分割した全ての格子を対象とするのではなく、入力欄の外枠からの距離によって定義対象を限定してもよい。また、入力欄の外枠からの距離によって評価値を定義してもよい。すなわち、入力欄内の解像度を最も高解像度とし、入力欄からの一定の距離以内の領域を入力欄内の解像度より低い中解像度とし、入力欄から一定の距離より離れた領域を中解像度より低い解像度としてもよい。
【符号の説明】
【００５４】
１０…エントリサーバ、１１…帳票読取装置、２０…記憶部、２１…帳票イメージデータベース、２２…帳票入力欄データベース、３０…制御部、４０…画像処理部、４１…入力欄データ抽出部、４２…評価値定義部、４３…イメージ編集部、５０…情報端末装置、５１…入力部、５２…表示部
【図１】
2011233035.tif 000003
【図２】
2011233035.tif 000004
【図３】
2011233035.tif 000005
【図４】
2011233035.tif 000006
【図５】
2011233035.tif 000007
【図６】
2011233035.tif 000008
【図７】
2011233035.tif 000009
【図８】
2011233035.tif 000010
【図９】
2011233035.tif 000011
【図１０】
2011233035.tif 000012
【図１１】
2011233035.tif 000013
【図１２】
2011233035.tif 000014